(57)【要約】【課題】軒樋吊具の取り付けに好適で安価に製造可能な軒樋吊具を提供する。【解決手段】本発明は、腕部２５の両端に軒樋Ｔの係止部２８ａ、２８ｂが形成された樋取付部材２１と、建物の鼻隠し板Ｓに固定される基板部５１に樋取付部材２１を保持する保持杆５２が形成された固定部材２２とを備え、保持杆５２の下面に腕部２５の上面を当接させて、ボルト２３及びナット２４により上下方向から緊締して、両者を固定する軒樋吊具２０において、腕部２５の上面には、その幅方向の中央から両端側に向けて、下り傾斜する傾斜面が形成され、保持杆５２の先端部下面は、前記傾斜面に当接する形状とされていることを特徴とする。【選択図】図２
2011144516.tif 000002
【特許請求の範囲】
【請求項１】
腕部の両端に軒樋の係止部が形成された樋取付部材と、建物の鼻隠し板に固定される基板部に前記樋取付部材を保持する保持杆が形成された固定部材とを備え、前記保持杆の下面に前記腕部の上面を当接させ、ボルト及びナットにより上下方向から緊締して、両者を固定する軒樋吊具において、
前記腕部の上面には、その幅方向の中央から両端側に向けて、下り傾斜する傾斜面が形成され、
前記保持杆の先端部下面は、前記傾斜面に当接する形状とされていることを特徴とする軒樋吊具。
【発明の詳細な説明】
【技術分野】
【０００１】
本発明は、家屋の軒先に軒樋を設置するための軒樋吊具に関する。
【背景技術】
【０００２】
一般に、家屋の軒先に軒樋を設置する場合には、建物の鼻隠し板に軒樋吊具を固定し、この軒樋吊具に軒樋を吊下するようにする。この軒樋設置工事は、高所での作業となるとともに足場が悪く、設置対象となる各部材も見え難い場所での作業となるため、特に軒樋を吊下する軒樋吊具の設置を容易かつ確実に行い得ることが望まれる。
従来、上記の点を考慮した軒樋吊具としては、下記特許文献１に記載されたものが知られている。
【０００３】
図５は、特許文献１に示す軒樋吊具１を示しており、図に示すように軒樋吊具１は、軒樋Ｔを支持する樋取付部材２を固定部材３で保持し、該固定部材３を建物の鼻隠し板Ｓに固定するようにしたものであり、樋取付部材２を固定部材３とをボルト４及びナット５により固定するようにしたものである。
【０００４】
樋取付部材２は、上面が平坦な面とされた腕部６の両端に、それぞれ軒樋Ｔを係止するための係止部９ａ、９ｂが一体的に形成されたものである。
【０００５】
固定部材３は、鼻隠し板Ｓに固定される基板部１１に杆状部１２が一体的に形成されたものであり、杆状部１２の先端部１２ａには、樋取付部材２の腕部６の上面に当接させる平板部１３に、この平板部１３から下方に折り曲げられて腕部６の側面に当接する側板部１４が形成されている。
【０００６】
この固定部材３の前記平板部１３及び樋取付部材２の腕部６には、それぞれこれらを固定する際にボルト４を挿通するための貫通孔（図示せず）が形成されている。
【０００７】
この軒樋吊具１は、軒樋Ｔを設置する際に、まず固定部材３の基板部１１をネジ等により鼻隠し板Ｓに固定する。
【０００８】
次いで、固定部材３の杆状部１２の下方に樋取付部材２を位置させ、先端部１２ａの平板部１３に腕部６の上面を当接させ、前記貫通孔にボルト４を挿通し、このボルト４に対し蝶ナット５を緊締することにより両者を固定する。
【０００９】
そして、樋取付部材２の係止部９ａ、９ｂに軒樋Ｔの耳部８ａ、８ｂを係止して軒樋Ｔの取付を完了する。
【００１０】
上記の軒樋吊具１においては、固定部材３に樋取付部材２を固定する際に、ボルト４に対して蝶ナット５を回動操作するため樋取付部材２に回動力が付与されるが、樋取付部材２の腕部６は固定部材３の側板部１４によって位置が規制されており、この腕部６が蝶ナット５とともに共回りすることがなく固定部材３に対して、定位置に固定される。
【００１１】
よって、この軒樋吊具１は、作業環境の悪い軒先においても、固定部材３に対し樋取付部材２を常に定位置に容易に固定することができる。
【先行技術文献】
【特許文献】
【００１２】
【特許文献１】特開平８−１６５７６２号公報
【発明の概要】
【発明が解決しようとする課題】
【００１３】
しかしながら、上記の軒樋吊具１においては、その設置作業時において、固定部材３に対して樋取付部材２の回動を阻止するために、固定部材３の杆状部１２の構成として平板部１３に側板部１４、１４を形成するため、この固定部材３を合成樹脂等で成形する際に、金型の構造が複雑となって樋取付部材２全体が高価となるという問題があった。
【課題を解決するための手段】
【００１４】
本発明に係る軒樋吊具は、上記した課題を解決するべく、下記の特徴を有する。
すなわち、請求項１の発明は、腕部の両端に軒樋の係止部が形成された樋取付部材と、建物の鼻隠し板に固定される基板部に前記樋取付部材を保持する保持杆が形成された固定部材とを備え、前記保持杆の下面に前記腕部の上面を当接させ、ボルト及びナットにより上下方向から緊締して、両者を固定する軒樋吊具において、前記腕部の上面には、その幅方向の中央から両端側に向けて、下り傾斜する傾斜面が形成され、前記保持杆の先端部下面は、前記傾斜面に当接する形状とされていることを特徴とする。
【発明の効果】
【００１５】
本発明の係る軒樋吊具によれば、上記した解決手段によって下記の効果を奏する。
請求項１に係る軒樋吊具によれば、樋取付部材の腕部の上面に保持杆の下面との相対変位を規制する傾斜面を形成し、保持杆を前記上面に当接するように形成したので、固定部材と樋取付部材とをボルト及びナットにより固定する際に、双方の傾斜面が当接することにより容易に位置合わせを行うことができ、ボルトの回動による樋取付部材の共回りを防止して軒樋吊具の設置を容易に行うことができ、共回り防止のための構成が簡単であるから軒樋吊具全体を安価に提供することができるという効果が得られる。
【図面の簡単な説明】
【００１６】
【図１】は、本発明の一実施形態として示した軒樋吊具の平面図である。
【図２】は、本発明の一実施形態として示した軒樋吊具の正面図である。
【図３】は、図２のＡ−Ａ線視拡大断面図である。
【図４】は、図２に示す軒樋吊具における固定部材の固定部を矢印Ｂ方向から見た図である。
【図５】は、従来の軒樋吊具の正面図である。
【発明を実施するための形態】
【００１７】
以下、図を参照して本発明の実施形態について説明する。
図１、図２は、本発明の一実際形態として示した軒樋吊具２０を示す図である。
これらの図に示すように軒樋吊具２０は、軒樋Ｔを支持する樋取付部材２１と、この樋取付部材２１を保持して建物の鼻隠し板Ｓに固定される固定部材２２と、これら樋取付部材２１、固定部材２２を固定するボルト２３及び蝶ナットとして構成されたナット２４とを備えたものである。
樋取付部材２１は、腕部２５の両端に軒樋Ｔの耳部２７ａ、２７ｂを係止する係止部２８ａ、２８ｂが一体的に形成されたものである。
【００１８】
腕部２５は、図３に示すように、平坦な底面３１ａと、この底面３１ａの幅方向両側端から直角に立ち上がる側面３１ｂ、３１ｂと、側面３１ｂ、３１ｂの上端間の上面３１ｃとを備えており、上面３１ｃ、底面３１ａの幅方向中心部間には貫通孔３２が形成されている。
【００１９】
上面３１ｃは、貫通孔３２が形成されている幅方向中央部が、底面３１ａと平行な平坦面であって、後述するように樋取付部材２１と固定部材２２とをボルト２３、ナット２４により緊締する方向に直交する平坦面４１とされている。また、上面３１ｃは、平坦面４１から幅方向両端側に向けて下り傾斜する傾斜面４２、４２とされている。
【００２０】
固定部材２２は、図２に示すように、鼻隠し板Ｓに固定される基板部５１と、この基板部５１に一体的に形成された保持杆５２とからなるものである。
基板部５１は、板状に形成された部分であって、その周縁部から内方には、図４に示すように、この基板部５１をネジ等により鼻隠し板Ｓに固定するための取付孔５１ａ・・が形成されている。
保持杆５２は、図２に示すように基板部５１から略水平方向前方へ延びる上杆部５２ａと、この上杆部５２ａから斜め前方へ下るように延びる中杆部５２ｂと、この中杆部５２ｂから水平方向前方へ延び、保持杆５２の先端部となる下杆部５２ｃとからなっている。
【００２１】
この保持杆５２は、一定の厚みを有する板状の壁部であり、上記各杆部５２ａ〜５２ｃのうち、特に下杆部５２ｃを成す壁部の形状は、幅方向の中央部を平坦部５３とし、平坦部５３から幅方向の両端側向けて下り傾斜する傾斜部５４、５４とされ、前述した樋取付部材２１における腕部２５の上面３１ｃの形状に沿って当接し得るよう形成されている。
上記の構成において、腕部２５の傾斜面４２及び保持杆５２の傾斜部５４の水平面に対する傾斜角度は、１０度〜３０度であることが望ましい。
【００２２】
平坦部５３には、ボルト２３を挿通するための貫通孔５５が形成されている。
なお、保持杆５２の上杆部５２ａ、中杆部５２ｂも下杆部５２ｃと同様にそれぞれ幅方向中央部が平坦部とされ、両側部が両端側に向けて下り傾斜する傾斜部とされている。
【００２３】
上記の樋取付部材２１は、合成樹脂、例えばポリカーボーネート樹脂等によって形成されるものである。
また、固定部材２２は、合成樹脂又はステンレス等の金属により形成されるものである。
【００２４】
なお、図２に示すように、軒樋Ｔは、断面略Ｕ字状に形成されたものであって、その上端部に取付用の耳部２７ａ、２７ｂが形成されたものである。
【００２５】
上記の軒樋吊具２０を用いて軒樋Ｔを設置するには、まず固定部材２２の基板部５１を取付孔５１ａの部分においてネジ等により鼻隠し板Ｓに固定する。
そして、図２に示すように固定部材２２における保持杆５２の下方に樋取付部材２１を配置し、図３に示すように下杆部５２ｃの下面に腕部２５の上面を当接させ、貫通孔３２、５５を合致させてこれら貫通孔３２、５５に上方からボルト２３を挿通し、腕部２５の下方から突出するボルト２３にナット２４を螺着し、緊締する。
【００２６】
これによって樋取付部材２１は固定部材２２に堅固に固定される。
また更に、図2に示す樋取付部材２１の係止部２８ａ、２８ｂに軒樋Ｔの耳部２７ａ、２７ｂを係止させることにより軒樋Ｔの設置が完了する。
【００２７】
上記の軒樋Ｔの設置作業において、固定部材２２に対する樋取付部材２１の固定作業は、樋取付部材２１における腕部２５の上面３１ｃが平坦面４１、傾斜面４２、４２とされ、固定部材２２における下杆部５２ｃが前記平坦面４１、傾斜面４２、４２に沿って当接する平坦部５３、傾斜部５４、５４とされているので、これら各部材の面が互いに当接することによって位置合わせが容易にできると共に両部材が密に接合し、ナット２４の回動操作によっても固定部材２２に対して樋取付部材２１が回動しにくくなり、作業環境の悪い軒先においても軒樋吊具２０を容易かつ確実に取り付けることができる。
【００２８】
以上のように、軒樋吊具２０によれば、樋取付部材２１の腕部２５の上面３１ｃに、平坦面４１、傾斜面４２、４２を設け、固定部材２２の保持杆５２の下杆部５２ｃを上面３１ｃに沿って当接する構成としたから、上記のように両者の取り付けを容易に行うことができるという効果が得られる。
【００２９】
また、固定部材２２の保持杆５２が単純な形状であるため、固定部材２２の製造が容易で軒樋吊具２０全体を安価に提供することができる。
例えば、固定部材２２を射出成形法により合成樹脂によって製造する場合には、射出成形金型を容易に製作でき、製造コストを抑えることができる。
【００３０】
また、固定部材２２をステンレス等の金属板をプレス加工して製造する場合には、保持杆５２を僅かな曲げ加工により形成できるために、製造コストを抑えることができる。
【００３１】
また、樋取付部材２１の腕部２５の上面３１ｃが幅方向中央部から両端側へ向けて下り傾斜する傾斜面４２、４２とされ、固定部材２２の保持杆５２が傾斜部を有する構成とされているから、降雨時における雨水が軒樋Ｔ側へ案内されて飛散、落下し、軒樋吊具２０周辺部における雨水による汚れを軽減させることができるという効果が得られる。
【００３２】
なお、本発明において、樋取付部材２１の腕部２５に形成する傾斜面は湾曲面も含むものとし、固定部材２１の保持杆５２に形成する傾斜部も湾曲した形状の傾斜部も含むものとする。
【００３３】
したがって、上記の実施の形態で説明した腕部２５の傾斜面４２、４２、下杆部５２ｃの傾斜部５４、５４を湾曲した形状としてもよく、要は、腕部２５の上面と下杆部５２ｃの下面とがナット２４の回動操作によって共回りすることのない相対変位が規制された形状であればよい。
【符号の説明】
【００３４】
２０    軒樋吊具
２１    樋取付部材
２２    固定部材
２３    ボルト
２４    ナット
２５    腕部
２７ａ、２７ｂ  係止部
３１ｃ  上面
４２    傾斜面
５１    基板部  
５２    保持杆
５２ｃ  下杆部
５４    傾斜部
Ｓ      建物の鼻隠し板  
Ｔ      軒樋
【図１】
2011144516.tif 000003
【図２】
2011144516.tif 000004
【図３】
2011144516.tif 000005
【図４】
2011144516.tif 000006
【図５】
2011144516.tif 000007